(57)【特許請求の範囲】
【請求項１】
第１のプレート部材（１３）と第２のプレート部材（１５）との間にオイル流路（１７）の形成されるシェル（１１）を複数積層してコア部（２１）を形成するとともに、前記オイル流路（１７）内にインナーフィン（１９）を配置し、前記第１および第２のプレート部材（１３，１５）に外方に突出する線状の突出部（２７，２９，３１，３３，３５，３７）を多数形成してなる積層型オイルクーラにおいて、
前記第１および第２のプレート部材（１３，１５）の長手方向の中心軸（Ｃ）上に所定間隔を置いて、前記第１および第２のプレート部材（１３，１５）の前記中心軸（Ｃ）に垂直方向に突出する複数の垂直突出部（２７）を形成するとともに、前記第１および第２のプレート部材（１３，１５）の中心軸（Ｃ）上の前記垂直突出部（２７）の間の中央となる位置に、前記中心軸（Ｃ）に沿って突出する水平突出部（２９）を形成し、前記垂直突出部（２７）と水平突出部（２９）との間に、前記中心軸（Ｃ）を挟んで対称に、前記中心軸（Ｃ）に対して傾斜する傾斜突出部（３１，３３および３５，３７）を形成し、前記垂直突出部（２７）の両側に形成される傾斜突出部（３１，３５および３３，３７）を、前記垂直突出部（２７）の長手方向軸（Ｃ１）の両側に対称に形成し、前記第１のプレート部材（１３）の垂直突出部（２７）および水平突出部（２９）を、前記第２のプレート部材（１５）の水平突出部（２９）および垂直突出部（２７）に交差し、前記第１のプレート部材（１３）の傾斜突出部（３１，３３，３５，３７）を前記第２のプレート部材（１５）の傾斜突出部（３１，３３，３５，３７）に交差してなることを特徴とする積層型オイルクーラ。
【請求項２】
請求項１記載の積層型オイルクーラにおいて、
前記第１および第２のプレート部材（１３，１５）および前記インナーフィン（１９）は、アルミニウムからなり相互にろう付けされていることを特徴とする積層型オイルクーラ。
【発明の詳細な説明】
【０００１】
【発明の属する技術分野】
本発明は、一対のプレート部材の間にオイル流路の形成されるシェルを複数積層してなる積層型オイルクーラに関する。
【０００２】
【従来の技術】
従来、自動車のオイルクーラとして、例えば、特表平７−５０４９６７号公報に開示されるように、一対のプレート部材の間にオイル流路の形成されるシェルを複数積層してなる積層型オイルクーラが知られている。
図４は、この種の積層型オイルクーラを示すもので、符号１は、第１のプレート部材２と第２のプレート部材３との間にオイル流路４の形成されるシェルを示している。
【０００３】
このシェル１のオイル流路４には、インナーフィン５が収容されている。
これ等のシェル１は、複数積層され、コア部６が形成されている。
コア部６の一側には、オイル流入用のコネクター７が配置され、他側には、オイル流出用のコネクター８が配置されている。
そして、この積層型オイルクーラでは、図５に実線で示すように、第１のプレート部材２には、第１のプレート部材２の中心軸９の両側となる位置に、千鳥足状に複数の突出部２ａが形成されている。
【０００４】
一方、第２のプレート部材３には、図５に二点鎖線で示すように、第２のプレート部材３の中心軸９の両側となる位置に、千鳥足状に複数の突出部３ａが形成されている。
そして、第１のプレート部材２の突出部２ａと第２のプレート部材３の突出部３ａとは、シェル１を積層した時に、相互に交差するように位置されている。
【０００５】
このような積層型オイルクーラでは、第１のプレート部材２および第２のプレート部材３に突出部２ａ，３ａを形成し、第１のプレート部材２の突出部２ａと第２のプレート部材３の突出部３ａとを、シェル１を積層した時に、相互に交差するように位置したので、ろう付け時に、治具によりコア部６の両側に配置されるシェル１を内側に向けて押圧することにより、第１のプレート部材２と第２のプレート部材３とをインナーフィン５に密着することが可能になり、インナーフィン５を第１のプレート部材２と第２のプレート部材３に確実にろう付けすることができる。
【０００６】
【発明が解決しようとする課題】
しかしながら、このような従来の積層型オイルクーラでは、第１および第２のプレート部材２，３の中心軸９の両側となる位置に、千鳥足状に複数の突出部２ａ，２ｂを形成しているため、第１および第２のプレート部材２，３の中心軸９の近傍の押圧力が弱くなり、中心軸９およびその近傍において第１のプレート部材２と第２のプレート部材３とをインナーフィン５に確実に密着することが困難になるという問題があった。
【０００７】
そこで、第１および第２のプレート部材２，３の中心軸９上に突出部を追加して形成することが考えられるが、この場合には、突出部により冷却用流体の流れが阻害されるという問題が発生する。
すなわち、このような積層型オイルクーラは、例えば、ラジエータのタンクに内蔵され、シェル１の間を流れるラジエータの冷却水との熱交換によりオイルが冷却されるが、突出部によりシェル１の間の冷却水の流通が阻害されると熱交換効率が極端に低下する虞がある。
【０００８】
本発明は、かかる従来の問題を解決するためになされたもので、シェルの間を流通する冷却用流体の流れを阻害することなく、第１のプレート部材と第２のプレート部材とをインナーフィンに確実に密着することができる積層型オイルクーラを提供することを目的とする。
【０００９】
【課題を解決するための手段】
請求項１の積層型オイルクーラは、第１のプレート部材と第２のプレート部材との間にオイル流路の形成されるシェルを複数積層してコア部を形成するとともに、前記オイル流路内にインナーフィンを配置し、前記第１および第２のプレート部材に外方に突出する線状の突出部を多数形成してなる積層型オイルクーラにおいて、前記第１および第２のプレート部材の長手方向の中心軸上に所定間隔を置いて、前記第１および第２のプレート部材の前記中心軸に垂直方向に突出する複数の垂直突出部を形成するとともに、前記第１および第２のプレート部材の中心軸上の前記垂直突出部の間の中央となる位置に、前記中心軸に沿って突出する水平突出部を形成し、前記垂直突出部と水平突出部との間に、前記中心軸を挟んで対称に、前記中心軸に対して傾斜する傾斜突出部を形成し、前記垂直突出部の両側に形成される傾斜突出部を、前記垂直突出部の長手方向軸の両側に対称に形成し、前記第１のプレート部材の垂直突出部および水平突出部を、前記第２のプレート部材の水平突出部および垂直突出部に交差し、前記第１のプレート部材の傾斜突出部を前記第２のプレート部材の傾斜突出部に交差してなることを特徴とする。
【００１０】
請求項２の積層型オイルクーラは、請求項１記載の積層型オイルクーラにおいて、前記第１および第２のプレート部材および前記インナーフィンは、アルミニウムからなり相互にろう付けされていることを特徴とする。
【００１１】
（作用）
請求項１の積層型オイルクーラでは、第１のプレート部材の垂直突出部および水平突出部が、隣接するシェルの第２のプレート部材の水平突出部および垂直突出部に交差して当接され、第１および第２のプレート部材の中心軸およびその近傍に、例えば、治具による押圧力が作用される。
【００１２】
また、第１のプレート部材の傾斜突出部が、第２のプレート部材の傾斜突出部に交差して当接され、第１および第２のプレート部材の中心軸の両側に、例えば、治具による押圧力が作用される。
請求項２の積層型オイルクーラでは、第１および第２のプレート部材およびインナーフィンが、アルミニウムからなり相互にろう付けされる。
【００１３】
【発明の実施の形態】
以下、本発明の詳細を図面に示す実施形態について説明する。
図１は、図２の積層型オイルクーラのシェルを構成する第１および第２のプレート部材を示しており、図２は、本発明の積層型オイルクーラの一実施形態を示している。
【００１４】
図２において、符号１１は、第１のプレート部材１３と第２のプレート部材１５との間にオイル流路１７の形成されるシェルを示している。
このシェル１１のオイル流路１７には、インナーフィン１９が収容されている。
これ等のシェル１１は、複数積層され、コア部２１が形成されている。
コア部２１の一側には、オイル流入用のコネクター２３が配置され、他側には、オイル流出用のコネクター２５が配置されている。
【００１５】
なお、この実施形態では、シェル１１を構成する第１および第２のプレート部材１３，１５、インナーフィン１９およびコネクター２３，２５は、アルミニウムからなり相互にろう付けされている。
図１は、図２のシェル１１を構成する第１のプレート部材１３および第２のプレート部材１５を示しており、これ等のプレート部材１３，１５は、アルミニウムのクラッド材により形成され、インナーフィン１９側となる内面にろう材層が形成され、外面に犠牲腐食層が形成されている。
【００１６】
第１のプレート部材１３および第２のプレート部材１５には、外方に突出する線状の突出部が多数形成されている。
この実施形態では、第１および第２のプレート部材１３，１５の長手方向の中心軸Ｃ上には、所定間隔を置いて、第１および第２のプレート部材１３，１５の中心軸Ｃに垂直方向に突出する複数の垂直突出部２７が形成されている。
【００１７】
また、第１および第２のプレート部材１３，１５の中心軸Ｃ上の垂直突出部２７の間の中央となる位置には、中心軸Ｃに沿って突出する水平突出部２９が形成されている。
さらに、垂直突出部２７と水平突出部２９との間には、中心軸Ｃを挟んで対称に、中心軸Ｃに対して４５度の角度で傾斜する傾斜突出部３１，３３および３５，３７が形成されている。
【００１８】
また、垂直突出部２７の両側に形成される傾斜突出部３１，３５および３３，３７は、垂直突出部２７の長手方向軸Ｃ１の両側に対称に形成されている。
そして、第１のプレート部材１３の垂直突出部２７および水平突出部２９は、第２のプレート部材１５の水平突出部２９および垂直突出部２７に交差する位置に形成されている。
【００１９】
また、第１のプレート部材１３の傾斜突出部３１，３３，３５，３７は、第２のプレート部材１５の傾斜突出部３１，３３，３５，３７に交差する位置に形成されている。
図３は、上述した垂直突出部２７、水平突出部２９および傾斜突出部３１，３３，３５，３７の横断面形状を示すもので、この実施形態では、断面形状が円弧状に形成されている。
【００２０】
上述した積層型オイルクーラは、シェル１１を構成する第１および第２のプレート部材１３，１５の間にインナーフィン１９を収容した状態で、シェル１１を積層し、シェル１１の両側にコネクター２３，２５を組み付け、コア部２１の両側を図示しない治具により押圧した状態で、熱処理炉内において各部材を相互にろう付けすることにより製造される。
【００２１】
そして、上述した積層型オイルクーラでは、ろう付け時には、治具による押圧力により、第１のプレート部材１３の垂直突出部２７および水平突出部２９が、隣接するシェル１１の第２のプレート部材１５の水平突出部２９および垂直突出部２７に交差して当接され、第１および第２のプレート部材１３，１５の中心軸Ｃおよびその近傍に、治具の押圧力が作用する。
【００２２】
また、同時に、第１のプレート部材１３の傾斜突出部３１，３３，３５，３７が、第２のプレート部材１５の傾斜突出部３１，３３，３５，３７に交差して当接され、第１および第２のプレート部材１３，１５の中心軸Ｃの両側に、治具による押圧力が作用することになる。
従って、上述した積層型オイルクーラでは、第１のプレート部材１３と第２のプレート部材１５とをインナーフィン１９に確実に密着することが可能になり、第１のプレート部材１３および第２のプレート部材１５にインナーフィン１９を確実にろう付けすることができる。
【００２３】
また、上述した積層型オイルクーラでは、垂直突出部２７と水平突出部２９との間に、垂直突出部２７と水平突出部２９とから間隔を置いて傾斜突出部３１，３３，３５，３７を形成したので、シェル１１の間を流通する冷却用流体の流れを阻害することを確実に防止することができる。
さらに、上述した積層型オイルクーラでは、第１および第２のプレート部材１３，１５およびインナーフィン１９をアルミニウムにより形成し、相互にろう付けしたので、これ等の部材を容易，確実に接合することができる。
【００２４】
また、上述した積層型オイルクーラでは、垂直突出部２７、水平突出部２９および傾斜突出部３１，３３，３５，３７の横断面形状を円弧状にしたので、第１のプレート部材１３の垂直突出部２７、水平突出部２９および傾斜突出部３１，３３，３５，３７を、隣接するシェル１１の第２のプレート部材１５の垂直突出部２７、水平突出部２９および傾斜突出部３１，３３，３５，３７に確実に当接することができる。
【００２５】
なお、上述した実施形態の積層型オイルクーラは、ラジエータのタンク内に収容されて使用されるが、本発明はかかる実施形態に限定されるものではなく、例えば、空冷用の積層型オイルクーラにも適用することができる。
【００２６】
【発明の効果】
以上述べたように、請求項１の積層型オイルクーラでは、第１のプレート部材の垂直突出部および水平突出部が、隣接するシェルの第２のプレート部材の水平突出部および垂直突出部に交差して当接され、第１および第２のプレート部材の中心軸およびその近傍に押圧力が作用され、同時に、第１のプレート部材の傾斜突出部が、第２のプレート部材の傾斜突出部に交差して当接され、第１および第２のプレート部材の中心軸の両側に押圧力が作用されるため、第１のプレート部材と第２のプレート部材とをインナーフィンに確実に密着することができる
また、垂直突出部と水平突出部との間に、垂直突出部と水平突出部とから間隔を置いて傾斜突出部を形成することにより、シェルの間を流通する冷却用流体の流れを阻害することを防止することができる。
【００２７】
請求項２の積層型オイルクーラでは、第１および第２のプレート部材およびインナーフィンをアルミニウムにより形成し、相互にろう付けしたので、これ等の部材を容易，確実に接合することができる。
【図面の簡単な説明】
【図１】図２の積層型オイルクーラの第１および第２のプレート部材を示す平面図である。
【図２】本発明の積層型オイルクーラの一実施形態を示す断面図である。
【図３】図１の突出部の断面図である。
【図４】従来の積層型オイルクーラを示す断面図である。
【図５】図４の積層型オイルクーラのプレート部材を示す平面図である。
【符号の説明】
１１  シェル
１３  第１のプレート部材
１５  第２のプレート部材
１７  オイル流路
１９  インナーフィン
２１  コア部
２７  垂直突出部
２９  水平突出部
３１，３３，３５，３７  傾斜突出部
Ｃ  中心軸
Ｃ１  長手方向軸
【図１】
0003810904.tif 000002
【図２】
0003810904.tif 000003
【図３】
0003810904.tif 000004
【図４】
0003810904.tif 000005
【図５】
0003810904.tif 000006